(57)【要約】【課題】線心束のカッド形状の崩れを出来る限り単純な構造によって防止でき且つ伝送信号の減衰量特性にも優れた線心束及び通信ケーブルを提供する。【解決手段】  線心束２０は、絶縁体２４によって覆われた導体心線２３である絶縁線心２１がカッド撚りされて形成され、線心束の軸線に直交する断面において、内周２５ｄ及び外周２５ｃを有する環形状であって外周２５ｃの形状が正方形又は正方形の少なくとも１つの辺が環形状の径方向内側に湾曲した準正方形である環形状を有する。絶縁線心２１の各々は、断面において、正方形又は準正方形の隣接する２つの頂点Ａ，Ｂ、及び、内周上にある２つの頂点Ｃ，Ｄ、を含む複数の頂点を結んだ形状を有する。【選択図】図２
2017059359.tif 000002
【特許請求の範囲】
【請求項１】
絶縁体によって覆われた導体心線である絶縁線心がカッド撚りされた線心束であって、
該線心束は、
該線心束の軸線に直交する断面において、内周及び外周を有する環形状であって、前記外周の形状が正方形又は正方形の少なくとも１つの辺が前記環形状の径方向内側に湾曲した準正方形である環形状を有し、
前記絶縁線心の各々は、
前記断面において、前記正方形又は前記準正方形の隣接する２つの頂点、及び、前記内周上にある２つの頂点、を含む複数の頂点を結んだ形状を有する、
線心束。
【請求項２】
請求項１に記載の線心束において、
前記内周によって囲まれる領域内に空気が存在している、
線心束。
【請求項３】
一又は複数の線心束を有する通信ケーブルであって、
前記線心束は、請求項１又は請求項２のいずれか一項に記載の線心束である、
通信ケーブル。
【発明の詳細な説明】
【技術分野】
【０００１】
本発明は、線心束、及び、一又は複数の線心束を有する通信ケーブルに関する。
【背景技術】
【０００２】
従来から、種々のネットワーク（例えば、電話回線、鉄道用信号保安装置、ローカルエリアネットワーク（ＬＡＮ）及び車載ネットワーク（ＣＡＮ）等）に用いられる通信ケーブルとして、導体心線を絶縁体によって被覆した絶縁線心を撚り合わせた線心束（撚り線）を有する通信ケーブルが用いられている。
【０００３】
例えば、従来の通信ケーブルの一つ（以下「従来ケーブル」という。）は、４本の絶縁線心を撚り合わせた線心束（カッド撚り線）を複数束ねた形状を有している。この従来ケーブルでは、線心束（カッド撚り線）の各々が、その軸線に垂直な断面において、円形の外周と、円形の内周と、を有する環形状（ドーナツ状の形状）を有している。更に、この線心束では、絶縁線心の各々が、くさび状の凸部と、その凸部に対応した凹部と、を有しており、凸部と凹部との係合によって隣接する絶縁線心同士が接合されるようになっている。従来ケーブルは、この係合によってカッド形状の崩れ（導体心線の相対変位）を防いで漏話減衰量特性を向上させると共に、線心束の内周に囲まれる領域（ドーナツ形状の中空部分）の空気層によって導体心線間の静電容量を低下させて伝送信号の減衰量特性を向上させるようになっている（例えば、特許文献１を参照。）。
【先行技術文献】
【特許文献】
【０００４】
【特許文献１】特開２０１４−７０１８号公報
【発明の概要】
【発明が解決しようとする課題】
【０００５】
従来ケーブルの線心束（カッド撚り線）は、個々の絶縁線心に設けられた凸部および凹部を互いに係合させることにより、カッド形状の崩れを防いでいる。ところが、このような凸部および凹部を有する絶縁線心を製造する工程は、通常の（凸部および凹部を有さない）絶縁線心を製造する工程に比べ、凸部および凹部を精度良く形成する必要がある分だけ煩雑となる。更に、個々の絶縁線心の製造工程の煩雑さに加え、凸部と凹部とを正確に係合させながら絶縁線心を撚り合わせる工程も、通常の絶縁線心を撚り合わせる工程に比べ、凸部と凹部との正確な位置合わせが必要な分だけ煩雑となる。このような煩雑さは、線心束の製造コスト（ひいては、通信ケーブルの製造コスト）を高める原因となり得る。
【０００６】
一方、従来ケーブルの線心束の内周に囲まれた領域（中空部分）をなくせば、絶縁線心同士の接触面積が増してカッド形状が崩れ難くなるため、上述した凸部および凹部を排除し得る。しかし、同領域（中空部分）をなくすことは、伝送信号の減衰量特性の低下を引き起こすため、好ましくない。このように、従来ケーブルの線心束（カッド撚り線）では、伝送信号の減衰量特性の向上と、カッド形状の崩れの防止（即ち、漏話減衰量特性の向上）の容易さと、の間に二律背反の関係がある。
【０００７】
本発明の目的は、上記課題に鑑み、絶縁線心をカッド撚りした線心束のカッド形状の崩れを出来る限り単純な構造によって防止できると共に伝送信号の減衰量特性にも優れた線心束、及び、その線心束を用いた通信ケーブル、を提供することにある。
【課題を解決するための手段】
【０００８】
上述した目的を達成するため、本発明に係る線心束は下記（１）及び（２）の特徴を有しており、本発明に係る通信ケーブルは下記（３）の特徴を有している。
（１）
絶縁体によって覆われた導体心線である絶縁線心がカッド撚りされた線心束であって、
該線心束は、
該線心束の軸線に直交する断面において、内周及び外周を有する環形状であって、前記外周の形状が正方形又は正方形の少なくとも１つの辺が前記環形状の径方向内側に湾曲した準正方形である環形状を有し、
前記絶縁線心の各々は、
前記断面において、前記正方形又は前記準正方形の隣接する２つの頂点、及び、前記内周上にある２つの頂点、を含む複数の頂点を結んだ形状を有する、
線心束であること。
（２）
上記（１）に記載の線心束において、
前記内周によって囲まれる領域内に空気が存在している、
線心束であること。
（３）
一又は複数の線心束を有する通信ケーブルであって、
前記線心束は、上記（１）又は上記（２）のいずれか１つに記載の線心束である、
通信ケーブルであること。
【０００９】
上記（１）の構成によれば、線心束が外力（例えば、線心束の製造時および使用時などに生じる、線心束を径方向に押しつぶす向きの外力）を受けた場合、線心束の断面形状の外周が正方形等であり且つ絶縁線心の断面形状の頂点がその正方形等の頂点に位置するため、外力を絶縁線心同士の接触面だけでなく外周面によっても支えることができる（例えば、図４を参照。）。よって、従来ケーブルの線心束のような凸部および凹部を要することなく、線心束のカッド形状の崩れを防止できる。更に、線心束は、環形状を有しているため、内周によって囲まれる中空部分に絶縁体よりも誘電率が小さい材料（例えば、空気および発泡ポリエチレン等）を存在させることにより、中空部分が無い場合に比べ、導体心線間の静電容量が低下して伝送信号の減衰量特性が高まる。したがって、本発明の線心束は、線心束のカッド形状の崩れを従来ケーブルの線心束（凸部および凹部の係合構造）よりも単純な構造によって防止できる（換言すると、漏話減衰量特性を向上できる）と共に、伝送信号の減衰量特性にも優れている。
【００１０】
上記（２）の構成によれば、安価に入手可能な空気を線心束の内周によって囲まれる領域（中空部分）に存在させることにより、他の材料（例えば、発泡ポリエチレン等）を同領域に存在させる場合に比べ、線心束の製造コスト（ひいては通信ケーブルの製造コスト）を低減できる。
【００１１】
上記（３）の構成によれば、上記（１）と同様、本構成の通信ケーブルは、線心束のカッド形状の崩れを従来ケーブルの線心束（凸部および凹部の係合構造）よりも単純な構造によって防止できると共に、伝送信号の減衰量特性にも優れている。更に、上記（２）と同様、本構成の通信ケーブルは、通信ケーブルの製造コストを低減できる。
【発明の効果】
【００１２】
本発明によれば、線心束が環形状を有すると共に、その外周形状が正方形または準正方形となるように各絶縁線心を構成することにより、線心束のカッド形状の崩れを出来る限り単純な構造によって防止できる（換言すると、漏話減衰量特性を向上できる）と共に伝送信号の減衰量特性を高めることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明に係る通信ケーブルの実施形態を示す断面図である。
【図２】図２は、図１の通信ケーブルが備える線心束を示す図であって、図２（ａ）は線心束の断面図であり、図２（ｂ）は線心束から１つの絶縁線心が分離されている状態を示す斜視図であり、図２（ｃ）は１つの絶縁線心の断面図である。
【図３】図３は、通信ケーブルの製造方法を説明する図であって、図３（ａ）は複数の絶縁線心を撚り合わせている様子を示す図であり、図３（ｂ）は分線板の正面図である。
【図４】図４（ａ）〜（ｃ）は従来の線心束が外力を受けた場合における線心束の形状を示す断面図であり、図４（ｄ）〜（ｆ）は本実施形態の線心束に外力を受けた場合における線心束の形状を示す断面図である。
【図５】図５は、従来の線心束が外力を受けた場合における線心束の形状を示す側面図である。
【図６】図６は、本実施形態の線心束が外力を受けた場合における線心束の形状を示す側面図である。
【図７】図７は、本発明の他の実施形態に係る線心束を示す断面図である。
【図８】図８は、本発明の他の実施形態に係る線心束を示す断面図である。
【発明を実施するための形態】
【００１５】
＜線心束および通信ケーブルの構成＞
以下、図１〜図３を参照しながら、本発明の一実施形態に係る通信ケーブル１０及び線心束２０の構成について説明する。
【００１６】
図１に示すように、通信ケーブル１０は、複数の線心束（カッド撚り線）２０と、介在部材３０と、押え巻きテープ４０と、シース５０と、を備えている。通信ケーブル１０は、例えば、自動車の車載ネットワーク（ＣＡＮ）の配線材として用いられる。本実施形態において、通信ケーブル１０は、３本の線心束２０を備えている。なお、通信ケーブル１０が備える線心束２０の数は必ずしも３本に限られず、通信ケーブル１０は、その用途等に応じて定まる任意の数の線心束２０を備え得る。
【００１７】
図２（ａ）に示すように、線心束２０は、４本の同一形状の絶縁線心２１と、押え巻きテープ２２と、を備えている。線心束２０は、線心束２０の軸線に直交する断面（図２（ａ）に示す断面）において、内周および外周を有する環形状を有している。より具体的には、線心束２０は、この断面において、内周および外周の形状が正方形である環形状（即ち、四角筒形状）を有している。
【００１８】
絶縁線心２１は、銅、銅合金、及び、アルミニウム合金などの導電性金属を細径化した導体心線２３と、導体心線２３を被覆する絶縁体２４と、から構成されている。絶縁体２４は、ポリ塩化ビニル又はポリエチレン等の熱可塑性樹脂であり、押し出し成形等によって導体心線２３の全長に亘ってその周囲を覆うように設けられる。絶縁線心２１は、線心束２０の軸線に直交する断面（図２（ａ）に示す断面）において、上述した正方形の隣接する２つの頂点、及び、内周上にある２つの頂点、を含む４つの頂点を結んだ形状（本例においては台形形状）を有する。
【００１９】
より具体的には、図２（ｂ）に示すように、絶縁体２４の外周面２５（以下「絶縁線心２１の外周面２５」ともいう。）は、第１平面部２５ａ、第２平面部２５ｂ、第３平面部２５ｃ及び第４平面部２５ｄを有している。第１平面部２５ａは、絶縁体２４の外周面２５の全長に亘り、導体心線２３の長さ方向に導体心線２３と平行に形成されている。第２平面部２５ｂは、第１平面部２５ａと同一幅であり、絶縁体２４の外周面２５の全長に亘り、導体心線２３の長さ方向に導体心線２３と平行に形成されている。
【００２０】
第３平面部２５ｃは、第１平面部２５ａの幅方向の一端（図２（ｃ）における点Ａ）と、第２平面部２５ｂの幅方向の一端（点Ｂ）と、を繋ぐように設けられている。一方、第４平面部２５ｄは、第１平面部２５ａの幅方向の他端（点Ｃ）と、第２平面部２５ｂの幅方向の他端（点Ｄ）と、を繋ぐように設けられている。別の言い方をすると、図２（ｃ）に示すように、上述した断面において、線心束２０の外周の一部である線分２５ｃ（第３平面部２５ｃ）は、正方形の頂点Ａ，Ｂを結ぶ直線に相当する。
【００２１】
絶縁体２４は、図２（ｃ）に示すように、その断面形状が等脚台形であるように形成されている。より具体的には、第１平面部２５ａと第２平面部２５ｂとが台形の脚に相当し、第３平面部２５ｃが台形の下底に相当し、第４平面部２５ｄが台形の上底に相当する。第１平面部２５ａと第２平面部２５ｂとがなす角度θは、９０度である。第３平面部２５ｃと第４平面部２５ｄとは、互いに平行である。
【００２２】
換言すると、４本の絶縁線心２１は、それらが１つに束ねられる（カッド撚りされると）と１本の四角筒形状（断面の内周および外周が正方形である形状）を形成するように、絶縁体２４の外周面２５の形状が設計されている。より具体的には、絶縁線心２１は、その断面形状が、上述した四角筒を４分割した台形形状であるように設計されている。これにより、絶縁線心２１が束ねられたとき、絶縁線心２１の第１平面部２５ａ及び第２平面部２５ｂが隣接する他の絶縁線心２１の第１平面部２５ａ又は第２平面部２５ｂに密着すると共に、絶縁線心２１の第３平面部２５ｃが断面が正方形の外周面を形成し、絶縁線心２１の第４平面部２５ｄが断面が正方形の内周面を形成することになる。
【００２３】
更に、第４平面部２５ｄによって囲まれる領域（四角筒形状の中空部分）には、空気が存在している。換言すると、導体心線２３の間に空気層が存在している。
【００２４】
押え巻きテープ２２は、例えば、ポリエステル等から構成された不織布テープである。押え巻きテープ２２は、四角筒形状に束ねられた４本の絶縁線心２１の外周面に螺旋状に巻き付けられ、これら絶縁線心２１を束ねられた状態のまま固定する。
【００２５】
再び図１を参照すると、介在部材３０は、例えば、ポリプロピレン（ＰＰ）等から構成される解繊紙である。介在部材３０として、通信ケーブル１０の配索時などにおいて通信ケーブル１０を自在に曲げることが可能なように、柔軟性（可撓性）を有する材料が用いられることが好ましい。介在部材３０は、複数の線心束２０の間の隙間を埋めるように、通信ケーブル１０の全長に亘って設けられている。
【００２６】
押え巻きテープ４０は、例えば、上述した押え巻きテープ２２と同様のポリエステル等から形成される不織布テープである。押え巻きテープ４０は、介在部材３０の周囲に隙間なく且つ横断面形状が円形状になるように、通信ケーブル１０の全長に亘って通信ケーブル１０に螺旋状に巻き付けられている。
【００２７】
シース５０は、例えば、ポリエチレン等の合成樹脂から形成される絶縁性の可撓性チューブである。シース５０は、線心束２０と同一の長さを有しており、複数の線心束２０、介在部材３０及び押え巻きテープ４０をその内側に収容する。更に、シース５０は、その内周面が押え巻きテープ４０に密着するように配置されている。
【００２８】
＜線心束および通信ケーブルの製造方法＞
以下、図３を参照しながら、通信ケーブル１０及び線心束２０の製造方法について説明する。
【００２９】
まず、通信ケーブル１０に用いる線心束２０を製造する。線心束２０に用いられる絶縁線心２１は、例えば、押出ダイ（クロスヘッドダイ等）を備えた押出成形機を用い、予熱した導体心線２３を引き出しながらその周囲に溶融した熱可塑性樹脂を重ねて絶縁体２４を形成することによって製造する。このとき、絶縁体２４（即ち、絶縁線心２１）の断面形状が上述した台形形状になるように、ダイの形状が予め設定されている。
【００３０】
次いで、上述したように製造した絶縁線心２１を、図３（ａ）に示すように、分線板Ｐに設けられた４つの台形孔Ｐ１〜Ｐ４を貫通させた後、環状の部材Ｑを貫通させる。分線板Ｐは、図３（ｂ）に示すように、円板状に形成されており、４つの台形孔Ｐ１〜Ｐ４が分線板Ｐの中心Ｏに対して対称に設けられている。４つの台形孔Ｐ１〜Ｐ４の各々は、絶縁線心２１の断面形状に応じた台形形状に形成されており、それぞれの上底（図２（ｃ）の２５ｄを参照。）が分線板Ｐの中心Ｏを向くようにして配置されている。これにより、絶縁線心２１が部材Ｑを貫通したとき、絶縁線心２１の第４平面部２５ｄが互いに向き合うように配置されることになる。
【００３１】
次いで、部材Ｑを通過した絶縁線心２１を、部材Ｑから離れる向きＷに向けて引っ張りながら、絶縁線心２１の各々の第１平面部２５ａ及び第２平面部２５ｂが、それぞれ隣接する他の絶縁線心２１の第１平面部２５ａ又は第２平面部２５ｂに密着すると共に、各絶縁線心２１における第３平面部２５ｃ及び第４平面部２５ｄがそれぞれ互いに接するように、絶縁線心２１を互いに束ねて撚り合わせていく。即ち、４本の絶縁線心２１をカッド撚りする。このように撚り合わされた複数の絶縁線心２１は、第３平面部２５ｃが互いに連接され且つ第４平面部２５ｄが互いに連接され、四角筒形状を有することになる。その後、押え巻きテープ４０を、撚り合わせられた絶縁線心２１の外周面に螺旋状に巻き付ける。
【００３２】
以上の工程を経て、線心束２０が製造される。
【００３３】
次いで、線心束２０を３本束ねると共に、それらの間に介在部材３０を充填しながら線心束２０を断面円形状になるように押え巻きテープ４０を巻き付けて固定する。その後、押出成形などによって押え巻きテープ４０の周囲にシース５０を形成する。
【００３４】
以上の工程を経て、通信ケーブル１０が製造される。
【００３５】
＜線心束の外力に対する耐性＞
以下、図４及び図５を参照しながら、上述したように製造された線心束２０の外力に対する耐性について説明する。
【００３６】
線心束２０は、種々の状況下にて、外力を受ける。例えば、線心束２０は、上述した製造工程において通信ケーブル１０を形成するために束ねられるとき、一般に、ローラを介して処理装置に向けて送出される。このとき、ローラの外周面に沿って線心束２０の送出方向が変化する場合などにおいて、線心束２０はローラの表面に押し付けられるような外力を受けることになる。また、通信ケーブル１０が形成された後であっても、通信ケーブル１０が自動車等に配索される場合において、通信ケーブル１０が周辺の部材に押し付けられたとき、通信ケーブル１０内の線心束２０が外力を受けることになる。
【００３７】
図４は、このような外力に対する線心束２０の耐性を説明するべく、平板１００上に置かれた線心束２０に対し、平板１００に垂直な方向から線心束２０を押しつぶすような外力を線心束２０に及ぼした場合における、線心束２０の断面形状を示す模式図である。図４（ａ）〜（ｃ）は従来の線心束９０（断面における外周形状が円形）の外力に対する耐性を表し、図４（ｄ）〜（ｆ）は本実施形態の線心束２０の外力に対する耐性を表す。なお、便宜上、図４においては、線心束２０及び線心束９０の双方において、押え巻きテープの図示を省略している。
【００３８】
まず、図４（ａ）に示す従来の線心束９０の場合、図４（ｂ）に示すように、隣接する絶縁線心の接触面の近傍の位置Ｆ１に外力を受けた場合、その外力は、絶縁線心９１ａと絶縁線心９１ｂとの接触面、及び、絶縁線心９１ｃと絶縁線心９１ｄとの接触面を介し、平板１００に伝わる。その結果、平板１００と線心束９０との接点にて外力と逆向きの反力が生じ、その反力が絶縁線心９１ａ，９１ｂの接触面および絶縁線心９１ｃ，９１ｄの接触面を介し、外力を受けた位置Ｆ１に伝わる。このとき、絶縁線心９１ａ〜９１ｄの各々において、外力と反力とが実質的に釣り合うことになる。そのため、この場合、絶縁線心９１ａ〜９１ｄの位置は実質的に変化せず、線心束９０はカッド形状を維持できる。
【００３９】
一方、図４（ｃ）に示すように、絶縁線心の中央周辺の位置Ｆ２に外力を受けた場合、絶縁線心間の静摩擦力を外力による摺動方向の力が上回ると、絶縁線心９１ａ，９１ｂの接触面、絶縁線心９１ａ，９１ｃの接触面、絶縁線心９１ｂ，９１ｄの接触面、及び、絶縁線心９１ｃ，９１ｄの接触面にて、絶縁線心間の滑りが生じる。その結果、カッド形状が崩れる。なお、このとき、外力が平板１００に十分に伝わらないため、十分な反力が生じない。そのため、図４（ｃ）に示す例の場合、カッド形状の崩れは、絶縁線心９１ｂ，９１ｃが上下の平板１００に接触するまで進行することになる。
【００４０】
その結果、図５に示すように、従来の線心束９０を側面から見た場合、外力に対してカッド形状を維持し難い部分（Ａ）と、外力に対してカッド形状を維持し易い部分（Ｂ）と、が線心束２０の撚りに対応して交互に生じることになる。線心束９０の漏話減衰量特性を高める観点において、このようにカッド形状を維持できない部分（Ａ）が生じることは望ましくない。
【００４１】
これに対し、図４（ｄ）に示す本実施形態に係る線心束２０の場合、図４（ｅ）に示すように、隣接する絶縁線心２１の接触面の近傍Ｆ３に外力を受けた場合、その外力は、絶縁線心２１ａと絶縁線心２１ｂとの接触面、及び、絶縁線心２１ｃと絶縁線心２１ｄとの接触面を介し、平板１００に伝わる。その結果、平板１００と線心束２０との接点にて外力と逆向きの反力が生じ、その反力が絶縁線心２１ａ，２１ｂの接触面および絶縁線心２１ｃ，２１ｄの接触面を介し、外力を受けた位置Ｆ１に伝わる。このとき、絶縁線心２１ａ〜２１ｄの各々において、外力と反力とが実質的に釣り合うことになる。そのため、この場合、図４（ｂ）に示す例と同様、絶縁線心２１ａ〜２１ｄの位置は実質的に変化せず、線心束２０はカッド形状を維持できる。
【００４２】
更に、図４（ｆ）に示すように、絶縁線心２１の外周面全体（便宜上、位置Ｆ４及びＦ５）に外力を受けた場合、その外力は、絶縁線心２１ｂ，２１ｃの外周面を介して直接に平板１００に伝わる。その結果、平板１００と絶縁線心２１ｂ，２１ｃとの接点にて外力と逆向きの反力が生じ、その反力が絶縁線心２１ｂ，２１ｃの外周面を介し、位置Ｆ４，Ｆ５に伝わる。このとき、絶縁線心２１ａ〜２１ｄの各々において、外力と反力とが実質的に釣り合うことになる。そのため、この場合、絶縁線心２１ａ〜２１ｄの位置は実質的に変化せず、線心束９０はカッド形状を維持できる。
【００４３】
その結果、図６に示すように、線心束２０を側面から見た場合、従来の線心束９０（図５）に比べ、外力に対してカッド形状を維持し難い部分が少ないことになる。よって、線心束２０は、従来の線心束９０（図５）に比べ、外力に対して高い耐性を有する（カッド形状を維持できる）ことになる。
【００４４】
以上に説明したように、本実施形態によれば、線心束が外力（例えば、図４を参照。）を受けた場合、線心束の断面形状の外周が正方形であり且つ絶縁線心の断面形状の頂点がその正方形の頂点に位置するため、外力を絶縁線心同士の接触面だけでなく外周面によっても支えることができる。よって、線心束のカッド形状の崩れを防止でき、漏話減衰量特性を維持できる。更に、線心束は、内周によって囲まれる中空部分に空気を存在させることにより、伝送信号の減衰量特性を向上させられる。
【００４５】
＜他の実施形態＞
本発明は上記実施形態に限定されることはなく、本発明の範囲内において種々の変形例を採用できる。
【００４６】
例えば、上述した実施形態の線心束２０は、線心束２０の軸線に垂直な断面において、外周および内周が正方形である四角筒形状を有している。しかし、本発明の線心束の外周の断面形状は、必ずしも正方形に限定されない。例えば、図７に示すように、線心束２０が、その軸線に直交する断面において、内周及び外周を有する環形状であって、外周の形状が正方形の少なくとも１つの辺が（図７においては全ての辺が）環形状の径方向内側に湾曲した形状（準正方形）である環形状を有してもよい。線心束２０がこのような断面形状を有する場合であっても、上記説明から理解されるように、従来の線心束９０に比べてより確実にカッド形状を維持できることになる。
【００４７】
更に、例えば、本発明の線心束の内周の断面形状も、必ずしも正方形に限定されない。例えば、図８に示すように、線心束２０が、その軸線に直交する断面において、内周及び外周を有する環形状であって、内周の形状が円形である環形状を有してもよい。線心束２０の伝送信号の減衰量特性を高める観点からは、導体心線の間に存在する低誘電率の物体の層（例えば、空気層）の厚さが大きいほど好ましい。よって、例えば、内周の断面形状を図２（ａ）に示す正方形よりも面積が大きい円形とすることにより、線心束２０の伝送信号の減衰量特性を図２（ａ）に示す例よりも向上させられる。更に、同面積が大きいほど、伝送信号の減衰量特性が高まることになる。なお、円形は一つの例に過ぎず、線心束２０の内周の断面形状がその他の形状であっても、導体心線の間に存在する低誘電率の物体の層を厚くできる形状であれば、伝送信号の減衰量特性を向上させられることになる。
【００４８】
ここで、上述した本発明に係る線心束の実施形態の特徴を下記（１）〜（３）に簡潔に纏めて列記し、上述した本発明に係る通信ケーブルの実施形態の特徴を下記（４）簡潔に纏めて記載する。
（１）
絶縁体（２４）によって覆われた導体心線（２３）である絶縁線心（２１）がカッド撚りされた線心束（２０）であって、
該線心束は、
該線心束の軸線に直交する断面において、内周（２５ｄ）及び外周（２５ｃ）を有する環形状であって、前記外周（２５ｃ）の形状が正方形又は正方形の少なくとも１つの辺が前記環形状の径方向内側に湾曲した準正方形である環形状を有し、
前記絶縁線心（２１）の各々は、
前記断面において、前記正方形又は前記準正方形の隣接する２つの頂点（Ａ，Ｂ）、及び、前記内周上にある２つの頂点（Ｃ，Ｄ）、を含む複数の頂点を結んだ形状を有する、
線心束。
（２）
上記（１）に記載の線心束において、
前記内周（２５ｄ）によって囲まれる領域内に空気が存在している、
線心束。
（３）
一又は複数の線心束を有する通信ケーブル（１０）であって、
前記線心束（２０）は、上記（１）又は上記（２）のいずれか一項に記載の線心束である、
通信ケーブル。
【符号の説明】
【００４９】
１０    通信ケーブル
２０    線心束
２１    絶縁線心
２３    導体心線
２４    絶縁体
２５    絶縁線心の外周面
【図１】
2017059359.tif 000003
【図２】
2017059359.tif 000004
【図３】
2017059359.tif 000005
【図４】
2017059359.tif 000006
【図５】
2017059359.tif 000007
【図６】
2017059359.tif 000008
【図７】
2017059359.tif 000009
【図８】
2017059359.tif 000010